(57)【要約】洗濯機（１００）は、洗濯物を洗濯する。洗濯機（１００）は、収容部（３０）を備える。収容部（３０）には、外部機器（５０）を収容可能である。収容部（３０）は、連通孔部を有する。連通孔部は、第１孔部（６１）と、第２孔部（７１）と、第３孔部（８１）とを含む。連通孔部は、収容部（３０）の底部（９０）に形成される。連通孔部は、収容部（３０）に外部機器（５０）が収容されている状態で、収容部（３０）の内部と収容部（３０）の外部とを連通する。
2019225083.tif 000002
【特許請求の範囲】
【請求項１】
洗濯物を洗濯する洗濯機であって、
外部機器を収容可能な収容部を備え、
前記収容部は、前記収容部の底部に形成される連通孔部を有し、
前記連通孔部は、前記収容部に前記外部機器が収容されている状態で、前記収容部の内部と前記収容部の外部とを連通する、洗濯機。
【請求項２】
前記収容部は、前記収容部から突出するリブ部材を有し、
前記連通孔部は、第１孔部を有し、
前記リブ部材は、前記第１孔部から前記収容部の外面部に亘って設けられる、請求項１に記載の洗濯機。
【請求項３】
前記リブ部材は、
前記第１孔部の縁面部から第１方向に延びる第１リブと、
前記外面部に形成され、前記第１方向と異なる第２方向に沿って延びる第２リブと
を有し、
前記第１リブが前記第２リブに連なる、請求項２に記載の洗濯機。
【請求項４】
前記第２リブは、前記外面部から下方に突出し、
前記第１リブの上側部分が前記縁面部に連なり、
前記第１リブの下側部分が前記第２リブに連なる、請求項３に記載の洗濯機。
【請求項５】
前記第２リブは、前記第１リブが連なる連結面を有し、
前記第１リブが前記連結面に対して垂直に突出する、請求項３又は請求項４に記載の洗濯機。
【請求項６】
前記連結面の下部に向かう程、前記連結面に対する前記第１リブの突出量が小さくなる、請求項５に記載の洗濯機。
【請求項７】
前記収容部は、収容機器の一部と対向しつつ前記収容機器の一部との間に隙間を形成する凹み部を有し、
前記収容機器は、前記収容部に収容されている前記外部機器を示し、
前記第１孔部が前記凹み部に形成される、請求項２から請求項６のいずれか１項に記載の洗濯機。
【請求項８】
前記連通孔部は、前記収容部から下方に突出する第２孔部をさらに有し、
前記第２孔部の下端には開口部が形成され、
前記開口部は、水平方向に見て水平面に対して傾斜した形状を有する、請求項１から請求項７のいずれか１項に記載の洗濯機。
【発明の詳細な説明】
【技術分野】
【０００１】
本発明は、洗濯機に関する。
【背景技術】
【０００２】
特許文献１に記載の洗濯機は、超音波振動子と、超音波振動ホーンと、給水管と、固定部材とから成る部分洗い装置を備える。超音波振動ホーンは、超音波振動子の超音波振動を増幅させる。給水管は、超音波振動ホーンの先端部へ給水する。【０００３】
特許文献１に記載の洗濯機において、固定部材内に部分洗い装置が挿入されることで、固定部材に部分洗い装置が収容される。
【先行技術文献】
【特許文献】
【０００４】
【特許文献１】特開２０００−３０８７８８号公報
【発明の概要】
【発明が解決しようとする課題】
【０００５】
しかし、特許文献１に記載された洗濯機では、ユーザーの利便性の観点において向上する余地がある。例えば、固定部材内に部分洗い装置が挿入されると、部分洗い装置のカバーが固定部材に係止される。カバーが固定部材に係止されると、固定部材（収容部）の下端開口が閉塞される。この状態で、固定部材の内部に水滴が流入すると、固定部材の内部に水滴が溜まる。しかし、固定部材の内部に水滴が溜まることを抑制したいとする要望があった。【０００６】
本発明は、洗濯機に設けられた収容部に外部機器が収容された状態で、収容部の内部に水滴が溜まることを抑制することができる洗濯機を提供する。
【課題を解決するための手段】
【０００７】
本発明の第１の局面によれば、洗濯機は、洗濯物を洗濯する。洗濯機は、収容部を備える。収容部には、外部機器を収容可能である。前記収容部は、連通孔部を有する。連通孔部は、前記収容部の底部に形成される。前記連通孔部は、前記収容部に前記外部機器が収容されている状態で、前記収容部の内部と前記収容部の外部とを連通する。
【発明の効果】
【０００８】
本発明によれば、洗濯機に設けられた収容部に外部機器が収容された状態で、収容部の内部に水滴が溜まることを抑制することができる。
【図面の簡単な説明】
【０００９】
【図１】本発明の第１実施形態に係る洗濯機の斜視図である。
【図２】ドアが開状態の洗濯機を示す斜視図である。
【図３】収容部に外部機器が収容された洗濯機の斜視図である。
【図４】洗濯機の構成を示すブロック図である。
【図５】収容部の第１の斜視図である。
【図６】収容部の拡大図である。
【図７】筐体に対する収容部の取り付け構造を示す筐体と収容部との端面図である。
【図８】収容部の平面図である。
【図９】（ａ）収容部に外部機器を収容しているユーザーの動作を示す図である。（ｂ）収容部に収容された外部機器を示す図である。
【図１０】収容部の第２の斜視図である。
【図１１】収容部の第３の斜視図である。
【図１２】収容部、筐体、及び底台の第１の断面図である。
【図１３】収容部の断面図の拡大図である。
【図１４】収容部、筐体、及び底台の第２の断面図である。
【図１５】収容部、筐体、及び底台の第３の断面図である。
【発明を実施するための形態】
【００１０】
本発明の第１実施形態について、図面を参照しながら説明する。なお、図中、同一又は相当部分については同一の参照符号を付して説明を繰り返さない。
【００１１】
図１及び図２を参照して、本発明の第１実施形態に係る洗濯機１００について説明する。図１は、ドア２が閉じた洗濯機１００の斜視図である。図２は、ドア２が開いた洗濯機１００の斜視図である。
【００１２】
図１及び図２に示すように、洗濯機１００は、筐体１と、ドア２と、入力部３と、給水ホース接続部４と、排水ホース接続部５と、ヒンジ機構６と、底台７とを備える。
【００１３】
以下では、図１に示すように、ユーザーが通常の姿勢で入力部３を操作するときの洗濯機１００に対するユーザーの位置を前方として、前後左右方向、及び上下方向を規定する。
【００１４】
筐体１は、中空の略四角柱形状を有する。筐体１は、前面部１ａと、背面部１ｂと、一対の側面部１ｃと、天井面部１ｄとを有する。前面部１ａは、背面部１ｂの前方に位置する。一対の側面部１ｃは、左右方向に互いに間隔を空けて配置される。一対の側面部１ｃのうちの１つは、前面部１ａの左側部と、背面部１ｂの左側部とに連設される。一対の側面部１ｃのうちの他の１つは、前面部１ａの右側部と、背面部１ｂの右側部とに連設される。天井面部１ｄは、前面部１ａの上部と、背面部１ｂの上部と、一対の側面部１ｃの上部とに連設される。
【００１５】
底台７は、筐体１の下部に設けられる。底台７は、筐体１の下部を閉塞する。
【００１６】
筐体１は、開口部１ｅを含む。開口部１ｅは、筐体１の外面部に形成される。第１実施形態では、開口部１ｅは、前面部１ａの外面部に形成される。開口部１ｅは、収容部３０の入り口を構成する。収容部３０の説明は後述する。
【００１７】
ドア２は、略板状の部材である。ドア２は、筐体１に回転可能に取り付けられる。ドア２は、前面部１ａの前部に設置される。
【００１８】
図１において、洗濯機１００のドア２が閉状態Ａである。閉状態Ａは、ドア２が閉じた状態を示す。図２において、洗濯機１００のドア２が開状態Ｂである。開状態Ｂは、ドア２が開いた状態を示す。
【００１９】
図１及び図２に示すように、ドア２は、ヒンジ機構６を介して筐体１に回転可能に取り付けられる。ドア２が回転することで、ドア２の状態が閉状態Ａと開状態Ｂとのいずれかに切り替わる。
【００２０】
ドア２は、表面部２１ａと、裏面部２１ｂとを有する。表面部２１ａの裏側には、裏面部２１ｂが位置する。ドア２が閉状態Ａのとき、表面部２１ａは前方を向く。ドア２が閉状態Ａのとき、裏面部２１ｂは後方を向くと共に筐体１に対向する。
【００２１】
入力部３は、洗濯機１００に対する指示を受け付ける。洗濯機１００に対する指示は、例えば、洗濯機１００が有する機能を使用するための指示である。入力部３は、例えば、操作キーを含む。ユーザーは、入力部３を介して、洗濯機１００に対して、例えば、洗い運転、すすぎ運転、脱水運転、及び乾燥運転のような動作を指示する。
【００２２】
また、入力部３には、洗濯機情報表示部が含まれる。洗濯機情報表示部は、洗濯機１００動作状況を示す情報を表示する。
【００２３】
入力部３は、ドア２の表面部２１ａに設置される。なお、入力部３が設置される場所は、特に限定されない。入力部３は、筐体１に設置されてもよい。
【００２４】
給水ホース接続部４には、給水ホース（不図示）が接続可能である。給水ホースは水栓に接続される。筐体１の内部Ｎには、給水ホースを介して、洗い運転、及びすすぎ運転のような洗濯運転時に使う水が供給される。筐体１の内部Ｎは、前面部１ａと、背面部１ｂと、一対の側面部１ｃと、天井面部１ｄとで囲まれた空間を示す。
【００２５】
排水ホース接続部５には、排水ホース（不図示）が接続可能である。洗濯機１００は、給水ホースを介して、洗濯運転で使われた水を筐体１の外部に排出する。
【００２６】
洗濯機１００は、収容部３０をさらに備える。
【００２７】
収容部３０には、外部機器５０を収容可能である。外部機器５０は、洗濯機１００とは別体である。外部機器５０は、例えば、超音波ウォッシャー（登録商標）のような携帯型の洗濯機器である。なお、外部機器５０は、収容部３０に収容可能な物体であればよく、携帯型の洗濯機器に限定されない。
【００２８】
収容部３０は、筐体１に形成される。第１実施形態では、収容部３０は、筐体１の前面部１ａに形成される。収容部３０は、例えば、樹脂により形成される。収容部３０は、筐体１の外面部から筐体１の内部Ｎ側に凹んだ形状を有する。収容部３０は、開口部１ｅを介して洗濯機１００の外部に連通する。従って、外部機器５０が収容部３０に収容される際、外部機器５０は、開口部１ｅを介して筐体１の内部Ｎ側に挿入される。その結果、外部機器５０が収容部３０に収容された状態で、外部機器５０が洗濯機１００から出っ張ることを抑制できる。
【００２９】
また、外部機器５０の出っ張りが抑制されるので、洗濯機１００の設置スペースを確保する作業の困難性を低減することができる。
【００３０】
ドア２が閉状態Ａのとき、ドア２が収容部３０に対して前方から対向する。その結果、ドア２が閉状態Ａのとき、収容部３０がドア２で覆われる。これに対し、ドア２が開状態Ｂのとき、収容部３０が露出する。その結果、ドア２が開状態Ｂのとき、収容部３０に対して外部機器５０を出し入れすることができる。
【００３１】
洗濯機１００は、開口部８と、回転ドラム９と、水槽（不図示）とをさらに備える。
【００３２】
開口部８は、筐体１の内部Ｎと筐体１の外部とを連通する。開口部８は、筐体１に形成される。第１実施形態では、開口部８は、前面部１ａに形成される。
【００３３】
ドア２は、開口部８を開閉する。ドア２が閉状態Ａのとき、ドア２が開口部８に対向する。その結果、ドア２が閉状態Ａのとき、開口部８がドア２で閉塞される。これに対し、ドア２が開状態Ｂのとき、開口部８が開放される。
【００３４】
回転ドラム９と、水槽とは、筐体１の内部Ｎに配置される。
【００３５】
回転ドラム９には、洗濯物を収容可能である。回転ドラム９は、回転可能に支持される。回転ドラム９は、開口部８に連通する。回転ドラム９は、本発明の洗濯槽の一例である。水槽は、回転ドラム９の外側に配置される。
【００３６】
洗濯物は、開口部８を介して回転ドラム９内に出し入れされる。回転ドラム９内に洗濯物、水、及び洗剤が収容された状態で、回転ドラム９が回転することで、洗濯物が洗濯される。
【００３７】
次に、図３を参照して、洗濯機１００についてさらに説明する。図３は、収容部３０に外部機器５０が収容された洗濯機１００の斜視図である。
【００３８】
図３に示すように、収容部３０には、外部機器５０が収容されている。収容部３０に外部機器５０が収容された状態において、外部機器５０が前面部１ａよりも後方に位置する。その結果、収容部３０に外部機器５０が収容された状態において、ドア２は、外部機器５０と干渉することなく、閉状態Ａ（図１参照）になることができる。
【００３９】
次に、図１、図４、及び図５を参照して、洗濯機１００についてさらに説明する。図４は、洗濯機１００を示すブロック図である。
【００４０】
図４に示すように、洗濯機１００は、充電部１１と、検知部１２とをさらに備える。
【００４１】
充電部１１は、外部機器５０を充電するための充電電流を出力する。充電部１１は、例えば、洗濯機１００に供給された商用電源電圧から充電電流を生成する回路を含む。
【００４２】
検知部１２は、外部機器５０が収容部３０に収容されているか否かを検知するセンサである。検知部１２は、例えば、光電センサ、又はマイクロスイッチを含む。
【００４３】
洗濯機１００は、表示部１３をさらに備える。
【００４４】
表示部１３は、外部機器５０に関する情報を表示する。外部機器５０に関する情報は、例えば、外部機器５０の充電状況を示す情報、及び／又は、収容部３０に外部機器５０が収容されているか否かを示す情報を含む。表示部１３は、例えば、ＬＥＤ（Ｌｉｇｈｔ  Ｅｍｉｔｔｉｎｇ  Ｄｉｏｄｅ）のような光源を含む。表示部１３は、ドア２の表面部２１ａに設置される。
【００４５】
図４に示すように、洗濯機１００は、記憶部１４と、制御部１５とをさらに備える。
【００４６】
記憶部１４は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。記憶部１４は、制御部１５によって実行される種々のコンピュータープログラムを記憶する。
【００４７】
制御部１５は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御部１５は、洗濯機１００の各要素を制御する。具体的には、制御部１５のプロセッサーは、記憶部１４に記憶されたコンピュータープログラムを実行することにより、入力部３と、充電部１１と、検知部１２と、表示部１３と、記憶部１４とを制御する。
【００４８】
次に、図５を参照して、収容部３０について説明する。図５は、収容部３０の第１の斜視図である。
【００４９】
図５は、収容機器５１を示す。収容機器５１は、収容部３０に収容されている外部機器５０である。
【００５０】
図５に示すように、収容機器５１は、第１載置部５１ａと、第２載置部５１ｂと、中間部５１ｃとを有する。中間部５１ｃは、第１載置部５１ａと第２載置部５１ｂとの間に位置する。第１実施形態では、第１載置部５１ａは、収容機器５１の右端部である。また、第１実施形態では、第２載置部５１ｂは、収容機器５１の左端部である。また、第１実施形態では、中間部５１ｃは、収容機器５１の左右中央部である。
【００５１】
収容部３０は、第１被載置部３１と、第２被載置部３２と、凹み部３３とを有する。
【００５２】
第１被載置部３１と第２被載置部３２とは、互いに間隔を空けて配置される。第１被載置部３１には、収容機器５１の第１載置部５１ａが載置される。第２被載置部３２には、収容機器５１の第２載置部５１ｂが載置される。
【００５３】
凹み部３３は、第１被載置部３１と第２被載置部３２との間に位置する。凹み部３３は、収容機器５１の一部と対向しつつ、収容機器５１の一部との間に隙間Ｚを形成する。第１実施形態では、凹み部３３は、収容機器５１の中間部５１ｃとの間に隙間Ｚを形成する。
【００５４】
次に、図５から図７を参照して、筐体１に対する収容部３０の取り付け構造について説明する。
【００５５】
図６は、図３に示す収容部３０の拡大図である。図７は、筐体１に対する収容部３０の取り付け構造を示す筐体１と収容部３０との端面図である。
【００５６】
図５から図７に示すように、収容部３０は、突出端部３４と、凸部３５と、溝部３６と、複数の第１係合部３７と、複数の第２係合部３８とをさらに有する。
【００５７】
突出端部３４は、収容機器５１の後部に位置する。突出端部３４は、上方に突出する形状を有する。凸部３５は、突出端部３４の前方に位置する。凸部３５は、上方に突出する形状を有する。溝部３６は、突出端部３４と凸部３５との間に形成される隙間である。第２係合部３８は、突出端部３４に形成される。第２係合部３８は、係合孔部３８ａを有する。
【００５８】
第１係合部３７は、収容機器５１の前部に位置する。第１係合部３７は、略鉤状に形成される。複数の第１係合部３７は、左右方向に間隔を空けて並んでいる。
【００５９】
筐体１は、下縁部１ｆと、内壁部１ｇとをさらに有する。
【００６０】
下縁部１ｆは、開口部１ｅのうち下側の縁部を示す。下縁部１ｆの裏側には、第１係合部３７に係合可能な第１被係合部（不図示）が設けられる。第１係合部３７は第１被係合部と係合する。その結果、収容機器５１の前部が筐体１に取り付けられる。なお、下縁部１ｆの裏側は、下縁部１ｆのうち筐体１の内部Ｎ側を向く面を示す。
【００６１】
内壁部１ｇは、開口部１ｅから筐体１の内部Ｎ側に突出する。内壁部１ｇの先端部１ｈは、収容部３０の溝部３６に挿入される。その結果、収容空間Ｖが、筐体１の内部Ｎと仕切られる。収容空間Ｖは、開口部１ｅの内側に位置し、収容機器５１が収容される空間を示す。
【００６２】
第２係合部３８の係合孔部３８ａには、内壁部１ｇの背面１ｊに形成される係合突起（不図示）が挿入される。その結果、収容機器５１の後部が筐体１に取り付けられる。
【００６３】
なお、筐体１に対する収容部３０の取り付け構造は、第１実施形態の取り付け構造に限定されない。また、筐体１と収容部３０とが一体で形成されてもよい。
【００６４】
次に、図２、及び図８から図９（ｂ）を参照して、収容部３０と外部機器５０とについてさらに説明する。図８は、収容部３０の平面図である。図９（ａ）は、収容部３０に外部機器５０を収容しているユーザーの動作を示す図である。図９（ｂ）は、収容部３０に収容された外部機器５０を示す図である。
【００６５】
図８に示すように、収容部３０は、第１設置部３９ａと、第２設置部３９ｂとをさらに有する。
【００６６】
第１設置部３９ａは、収容部３０のうち押圧部４０を構成する部材が設置される箇所を示す。第１実施形態では、第１設置部３９ａは、第１被載置部３１の右方に位置する。押圧部４０の説明は後述する。
【００６７】
第２設置部３９ｂは、収容部３０のうち充電部１１を構成する部材が設置される箇所を示す。第１実施形態では、第２設置部３９ｂは、第２被載置部３２の左方に位置する。
【００６８】
図８から図９（ｂ）に示すように、充電部１１は、ケース１１ａと、送電部１１ｂとを有する。ケース１１ａは、送電部１１ｂを収容する。送電部１１ｂは、例えば、送電コイルを含む。ケース１１ａは、第２被載置部３２に設置される。
【００６９】
外部機器５０は、第１端部５０ａと、第２端部５０ｂと、受電部５２とを有する。外部機器５０が収容部３０に収容されたとき、第１端部５０ａと第２端部５０ｂとは、互いに反対側に位置する。受電部５２は、例えば、受電コイルを含む。受電部５２は、第１端部５０ａに設置される。
【００７０】
図９（ｂ）は、充電姿勢αの外部機器５０を示す。充電姿勢αは、外部機器５０の受電部５２が、充電部１１の送電部１１ｂと対向する姿勢を示す。
【００７１】
外部機器５０が収容部３０に充電姿勢αで収容されることで、送電部１１ｂから出力される電力を、受電部５２が磁界を通じて無接点で受電する。その結果、外部機器５０のバッテリ（不図示）が充電される。
【００７２】
図２、図８、及び図９（ａ）に示すように、洗濯機１００は、押圧部４０をさらに備える。
【００７３】
押圧部４０は、第１被載置部３１に設置される。
【００７４】
外部機器５０は、押圧部４０と送電部１１ｂとの間に収容される。
【００７５】
押圧部４０は、支持軸４１と、回転部材４２と、弾性部材４３とを有する。
【００７６】
支持軸４１は、収容部３０に取り付けられる。支持軸４１は、収容部３０により回転可能に支持される。回転部材４２は、第１被載置部３１よりも上方に位置する。支持軸４１は、第１被載置部３１よりも右方に位置する。支持軸４１は、前後方向に沿って延びる。
【００７７】
回転部材４２は、板状の部材を屈曲させた形状を有する。回転部材４２は、支持軸４１に固定される。回転部材４２は、支持軸４１と共に回転する。また、回転部材４２は、支持軸４１を中心に回転する。回転部材４２は、支持軸４１を介して、収容部３０により回転可能に支持される。
【００７８】
回転部材４２は、基端部４２ａと、中間部４２ｂと、先端部４２ｃとを有する。
【００７９】
基端部４２ａは、回転部材４２に取り付けられる。中間部４２ｂは、基端部４２ａに連設される。中間部４２ｂは、基端部４２ａから送電部１１ｂ側へ突出する。また、中間部４２ｂは、水平方向よりも下側に向いて突出する。先端部４２ｃは、中間部４２ｂに連設される。先端部４２ｃは、中間部４２ｂから送電部１１ｂ側へ突出する。また、先端部４２ｃは、中間部４２ｂよりも下側に向いて突出する。
【００８０】
収容部３０に外部機器５０が収容されているとき（図９（ｂ）参照）、回転部材４２の先端部４２ｃが外部機器５０に接触する。
【００８１】
弾性部材４３は、例えば、ねじりコイルばねである。弾性部材４３は、収容部３０に取り付けられる。また、弾性部材４３は、回転部材４２に取り付けられる。また、弾性部材４３は、支持軸４１に巻回される。
【００８２】
回転部材４２に対して外力が作用していない状態で、回転部材４２の中間部４２ｂ及び先端部４２ｃが第１被載置部３１の上方に位置する。
【００８３】
回転部材４２に対して外力が作用していないときの方が（図９（ａ）参照）、収容部３０に外部機器５０が収容されているときよりも（図９（ｂ）参照）、回転部材４２の先端部４２ｃが送電部１１ｂに近接している。従って、収容部３０に外部機器５０が充電姿勢αで収容されているとき、弾性部材４３の復元力が近接方向Ｗに発生する。近接方向Ｗは、外部機器５０の充電部１１が送電部１１ｂに近接する方向を示す。
【００８４】
続いて、図９（ａ）及び図９（ｂ）を参照して、収容部３０に外部機器５０が収容される手順について説明する。
【００８５】
図９（ａ）に示すように、ユーザーは、外部機器５０を把持した状態で、回転部材４２と送電部１１ｂとの間に外部機器５０を上方から挿入する。
【００８６】
ユーザーが外部機器５０を回転部材４２と送電部１１ｂとの間に挿入する際、外部機器５０が回転部材４２の中間部４２ｂに接触する。
【００８７】
外部機器５０が回転部材４２に接触すると、回転部材４２が外部機器５０から下向きの圧力を受ける。その結果、回転部材４２が下方Ｙ２に回転する。その結果、図９（ｂ）に示すように、回転部材４２と送電部１１ｂとの間に外部機器５０が上方から挿入されることで、外部機器５０が収容部３０に収容される。
【００８８】
外部機器５０が収容部３０に充電姿勢αで収容されることで、外部機器５０が充電される。このとき、外部機器５０に対して近接方向Ｗに圧力が作用するので、外部機器５０を効果的に充電することが可能になる。
【００８９】
次に、図１０を参照して、収容部３０についてさらに説明する。図１０は、収容部３０の第２の斜視図である。
【００９０】
図１０に示すように、収容部３０は、底部９０を有する。底部９０は、収容部３０の底を構成する部分を示す。
【００９１】
底部９０は、第１底部９１と、第２底部９２と、第３底部９３とを含む。第１底部９１は、凹み部３３の底を構成する部分示す。第２底部９２は、第１設置部３９ａの底を構成する部分を示す。第３底部９３は、第２設置部３９ｂの底を構成する部分を示す。
【００９２】
収容部３０の底部９０には、第１孔部６１と、第２孔部７１と、第３孔部８１とが形成される。以下では、第１孔部６１〜第３孔部８１を総称して連通孔部と記載することがある。
【００９３】
収容状態Ｃにおいて（図５参照）、連通孔部は、収容部３０の内部と収容部３０の外部とを連通する。従って、収容状態Ｃにおいて、連通孔部は、収容部３０の内部に流入した水滴を収容部３０の外部に排出することができる。その結果、収容状態Ｃにおいて、収容部３０の内部に水滴が溜まることを抑制することができる。なお、収容状態Ｃは、収容部３０に外部機器５０が収容されている状態を示す。
【００９４】
次に、図８、及び図１０から図１５を参照して、収容部３０の水抜き構造について説明する。図１１は、収容部３０の第３の斜視図である。図１２は、収容部３０、筐体１、及び底台７の第１の断面図である。
【００９５】
図１１及び図１２に示すように、収容部３０は、内面部３ａと、外面部３ｂとを有する。
【００９６】
内面部３ａは、収容部３０のうち収容機器５１側を向く面である。内面部３ａで囲まれる空間には、外部機器５０が収容される。
【００９７】
以下では、内面部３ａで囲まれる空間を、収容部３０の内部と記載することがある。
【００９８】
外面部３ｂは、内面部３ａと背向する面を示す。外面部３ｂは、収容部３０の外部に対向する。収容部３０の外部は、収容部３０の周囲に位置する空間を示す。第１実施形態では、収容部３０は、筐体１の内部Ｎに配置される。従って、第１実施形態では、収容部３０の外部は、筐体１の内部Ｎを示す。
【００９９】
図８に示すように、収容部３０は、第１排水機構６０と、第２排水機構７０と、第３排水機構８０とをさらに有する。
【０１００】
まず、図１１及び図１２を参照して、第１排水機構６０について説明する。図１２に示す収容部３０は、図８に示す収容部３０のＸＩ―ＸＩ断面図である。
【０１０１】
図１１及び図１２に示すように、第１排水機構６０は、複数の第１孔部６１を有する。複数の第１孔部６１は、左右方向に沿って並んでいる。なお、第１孔部６１の個数は限定されない。また、第１孔部６１は１つでもよい。
【０１０２】
以下では、複数の第１孔部６１のうちの１つに着目して説明する。
【０１０３】
第１孔部６１は、収容部３０の内面部３ａと外面部３ｂとの間を貫通する孔である。
【０１０４】
第１孔部６１は、凹み部３３の第１底部９１に形成される。また、第１孔部６１は、第１底部９１のうちの前部に位置する。
【０１０５】
第１孔部６１は、縁面部６２を有する。
【０１０６】
縁面部６２は、第１孔部６１の縁を形成する面を示す。縁面部６２は、内面部３ａと外面部３ｂとの間に位置し、内面部３ａと外面部３ｂとに連なる。
【０１０７】
図１２に示すように、収容状態Ｃにおいて、第１孔部６１と外部機器５０との間には、隙間Ｚが形成される。従って、収容状態Ｃにおいて、第１孔部６１が閉塞されない。その結果、収容状態Ｃにおいて、第１孔部６１が、収容部３０の内部と収容部３０の外部とを連通している。
【０１０８】
図１１及び図１２に示すように、第１排水機構６０は、リブ部材６３をさらに有する。
【０１０９】
リブ部材６３は、収容部３０から突出する。リブ部材６３は、第１孔部６１から収容部３０の外面部３ｂに亘って設けられる。リブ部材６３は、例えば、樹脂により形成される。リブ部材６３は、収容部３０と一体形成される。なお、リブ部材６３が収容部３０と別体であり、リブ部材６３が収容部３０に固定されてもよい。
【０１１０】
リブ部材６３は、複数の第１リブ６４と、第２リブ６５とを有する。
【０１１１】
複数の第１リブ６４は、それぞれ、複数の第１孔部６１に設けられる。以下では、複数の第１リブ６４のうちの１つに着目して説明する。
【０１１２】
第１リブ６４は、第１孔部６１の縁面部６２に形成される。第１リブ６４は、縁面部６２から下方向に延びる。下方向は、本発明の第１方向の一例である。
【０１１３】
第２リブ６５は、収容部３０の外面部３ｂに形成される。好ましくは、第２リブ６５は、収容部３０の底部９０（図１０参照）の外面部３ｂに形成される。第１実施形態では、第２リブ６５は、第１底部９１の外面部３ｂに形成される。
【０１１４】
第２リブ６５は、第１孔部６１の下側に位置する。第２リブ６５は、左右方向に沿って延びる。左右方向は、本発明の第２方向の一例である。第２リブ６５は、外面部３ｂから下方に突出する。従って、第２リブ６５は、第２リブ６５から下方に水滴を落下させることが可能である。
【０１１５】
第１リブ６４の延びる方向は、第２リブ６５の延びる方向に対して垂直である。従って、第１リブ６４は、第２リブ６５に連なる。連なるとは、複数の別体の部材が互いに連結されること、及び、複数の部材が一体形成されることの両方の意味を含む。
【０１１６】
第１リブ６４は、略柱状に形成される。第１リブ６４は、縁面部６２と第２リブ６５との各々に対し、同一の方向から対向する。第１実施形態では、第１リブ６４は、縁面部６２と第２リブ６５との各々に対し、前方から対向する。
【０１１７】
第２リブ６５は、底台７よりも上方に設置される。また、第２リブ６５は、底台７よりも前方に設置される。
【０１１８】
収容部３０の下方には、排水路Ｒが形成される。排水路Ｒは、洗濯機１００の内部と洗濯機１００の外部とを連通する。第１実施形態では、排水路Ｒは、底台７と筐体１との間に形成される隙間を示す。
【０１１９】
上下方向に見て、第２リブ６５が底台７と重ならない場所に、第２リブ６５が設置される。従って、第２リブ６５から落下した水滴が底台７に供給されることなく、排水路Ｒを介して洗濯機１００の外部に排出される。
【０１２０】
図３及び図１１を参照して、収容部３０の内部に流入した水滴が洗濯機１００の外部に排出される原理について説明する。
【０１２１】
図３に示すように、収容部３０に外部機器５０が収容された状態で、ユーザーが回転ドラム９内に洗濯物を出し入れする。この場合、収容部３０の内部に水滴が流入することがある。
【０１２２】
図１２に示すように、収容部３０の内部に流入した水滴は、第１孔部６１を介して収容部３０の外部に流出する。収容部３０の外部に流出した水滴は、第１リブ６４から第２リブ６５を伝って流れる。そして、水滴は、第２リブ６５から筐体１の内部Ｎに落下する。筐体１の内部Ｎに落下した水滴は、排水路Ｒを通って洗濯機１００の外部に排出される。洗濯機１００の外部に排出された水滴は、例えば、防水パン（不図示）に収容される。その結果、底台７に水が溜まることを抑制することができる。また、例えば、底台７に洗濯機１００の電装部品が設置される場合、電装部品に水滴が付着することを抑制することができる。
【０１２３】
以上、図３、図１０、及び図１２を参照して説明したように、リブ部材６３は、第１孔部６１から収容部３０の底部９０の外面部３ｂに亘って設けられる。従って、第１孔部６１から流出した水滴が所定の場所に排出されないように、リブ部材６３により水滴を誘導することが可能である。その結果、水滴が所定の場所に排出されることを抑制することができる。なお、所定の場所は、水滴の排出場所のうち、ユーザーが望まない排出場所を示す。第１実施形態の所定の場所は、底台７である。
【０１２４】
次に、図１３を参照して、リブ部材６３についてさらに説明する。図１３は、収容部３０の断面図の拡大図である。
【０１２５】
図１３に示すように、第１リブ６４は、上側部分６４ａと、下側部分６４ｂとを有する。上側部分６４ａは、第１リブ６４のうち上側に位置する部分である。下側部分６４ｂは、第１リブ６４のうち下側に位置する部分である。
【０１２６】
第１リブ６４の上側部分６４ａは、縁面部６２に連なる。第１リブ６４の下側部分６４ｂは、第２リブ６５に連なる。
【０１２７】
第２リブ６５の下端部６５ｃは、第１リブ６４の下端部６４ｃよりも下方に位置し、又は、第１リブ６４の下端部６４ｃと略同じ高さに位置する。
【０１２８】
第２リブ６５は、連結面６５ａを有する。連結面６５ａは、第２リブ６５のうち第１リブ６４が連なる面を示す。第１実施形態では、連結面６５ａは、第２リブ６５のうち前部に位置する面を示す。連結面６５ａは、左右方向に沿って延びる。
【０１２９】
第１リブ６４は、連結面６５ａに対して垂直に突出する。また、連結面６５ａの下部に向かう程、連結面６５ａに対する第１リブ６４の突出量Ｘが小さくなる。その結果、第１リブ６４は、第２リブ６５に向けて水滴を効果的に誘導することが可能になる。
【０１３０】
次に、図８及び図１４を参照して、第２排水機構７０について説明する。図１４は、収容部３０、筐体１、及び底台７の第２の断面図である。図１４に示す収容部３０は、図８に示す収容部３０のＸＩＩ―ＸＩＩ断面図である。
【０１３１】
図８及び図１４に示すように、第２排水機構７０は、第２孔部７１を有する。
【０１３２】
第２孔部７１は、収容部３０の内面部３ａと外面部３ｂとの間を貫通する孔である。第２孔部７１は、収容部３０の内部と収容部３０の外部とを連通している。
【０１３３】
第２孔部７１は、収容部３０から下方に突出する。第１実施形態では、第２孔部７１は、収容部３０の第２底部９２から下方に突出する。
【０１３４】
第２孔部７１は、第２開口部７２を有する。第２開口部７２は、第２孔部７１の下端に形成される。第２開口部７２は、水平方向に見て水平面Ｈに対して角度θ１で傾斜した形状を有する。角度θ１は、０°以外の角度である（θ１≠０）。第２開口部７２が水平面Ｈに対して傾斜することで、第２孔部７１を介して排出される水滴が第２開口部７２に表面張力により留まることを抑制することができる。その結果、収容部３０の内部に流入した水滴を、第２孔部７１及び第２開口部７２を介して収容部３０の外部に円滑に排出することができる。また、第２開口部７２が水平面に対して傾斜することで、第２孔部７１の下端での水の広がりを抑制することができる。
【０１３５】
上下方向に見て、第２孔部７１が底台７と重ならない場所に、第２孔部７１が設置される。従って、第２開口部７２から落下した水滴が底台７に供給されることなく、排水路Ｒを介して洗濯機１００の外部に排出される。
【０１３６】
次に、図８及び図１５を参照して、第３排水機構８０について説明する。図１５は、収容部３０、筐体１、及び底台７の第３の断面図である。図１５に示す収容部３０は、図８に示す収容部３０のＸＩＩＩ―ＸＩＩＩ断面図である。
【０１３７】
図８及び図１５に示すように、第２排水機構７０は、第３孔部８１を有する。
【０１３８】
第３孔部８１は、収容部３０の内面部３ａと外面部３ｂとの間を貫通する孔である。第３孔部８１は、収容部３０の内部と収容部３０の外部とを連通する。
【０１３９】
第３孔部８１は、収容部３０から下方に突出する。第１実施形態では、第３孔部８１は、収容部３０の第３底部９３から下方に突出する。
【０１４０】
第３孔部８１の上方には、ケース１１ａが配置される。ケース１１ａは、支持台３９３に載置される。支持台３９３は、第３底部９３に設置される突起である。
【０１４１】
ケース１１ａが支持台３９３に載置されることで、ケース１１ａと第３底部９３との間には隙間Ｚ１が形成される。従って、第３孔部８１がケース１１ａにより閉塞されることを防止できる。その結果、第３孔部８１は、収容部３０の内部に供給された水滴を収容部３０の外部に排出することができる。
【０１４２】
第３孔部８１は、第３開口部８２を有する。第３開口部８２は、第２開口部７２と同様に、水平方向に見て水平面Ｈに対して角度θ２で傾斜した形状を有する（θ２≠０）。従って、第３孔部８１を介して排出される水滴が第３開口部８２に表面張力により留まることを抑制することができる。また、第３開口部８２が水平面に対して傾斜することで、第２孔部７１の下端での水の広がりを抑制することができる。
【０１４３】
上下方向に見て、第３孔部８１が底台７と重ならない場所に、第３孔部８１が設置される。従って、第３開口部８２から落下した水滴が底台７に供給されることなく、排水路Ｒを介して洗濯機１００の外部に排出される。
【０１４４】
以上、図面（図１〜図１５）を参照しながら本発明の実施形態について説明した。但し、本発明は、上記の実施形態に限られるものではなく、その要旨を逸脱しない範囲で種々の態様において実施することが可能である（例えば、（１）〜（５））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【０１４５】
（１）収容部３０には、充電部１１、及び押圧部４０が設けられなくてもよい（図８参照）。収容部３０には、第１排水機構６０〜第３排水機構８０のうちの少なくとも１つが設けられていればよい。
【０１４６】
（２）図１０に示すように、第１実施形態では、第１排水機構６０は、第１底部９１に設けられる。しかし、本発明はこれに限定されない。第１排水機構６０は、底部９０に設けられていればよい。第２実施形態では、第１排水機構６０は、例えば、第２底部９２、及び／又は、第３底部９３に設けられてもよい。
【０１４７】
また、第１実施形態では、第２排水機構７０は、第２底部９２に設けられる。しかし、本発明はこれに限定されない。第２排水機構７０は、底部９０に設けられていればよい。第３実施形態では、第２排水機構７０は、例えば、第１底部９１に設けられてもよい。また、第３排水機構８０の設置場所についても、第２排水機構７０と同様に、第１実施形態の設置場所に限定されない。
【０１４８】
（３）第１実施形態では、図２（ａ）に示すように、収容部３０は、筐体１に前面部１ａに設けられる。しかし、本発明はこれに限定されない。収容部３０は、筐体１のうち前面部１ａ以外の場所に設けられてもよい。また、収容部３０は、ドア２に設けられてもよい。
【０１４９】
（４）第１実施形態では、収容部３０は、洗濯機１００の外面部から凹むように形成される。しかし、本発明はこれに限定されない。収容部３０は、洗濯機１００に形成されていればよい。例えば、収容部３０は、洗濯機１００の外面部から出っ張るように形成されてもよい。
【０１５０】
（５）第１実施形態の洗濯機１００は、ドラム式洗濯機である。しかし、本発明はこれに限定されない。第４実施形態では、洗濯機１００は、縦型洗濯機でもよい。
【産業上の利用可能性】
【０１５１】
本発明は、洗濯機の分野に利用可能である。
【符号の説明】
【０１５２】
３ｂ    外面部
３０    収容部
３３    凹み部
５０    外部機器
６１    第１孔部
６２    縁面部
６３    リブ部材
６４    第１リブ
６４ａ  上側部分
６４ｂ  下側部分
６５    第２リブ
６５ａ  連結面
７１    第２孔部
８１    第３孔部（第２孔部）
９０    底部
１００  洗濯機
Ｈ      水平面
Ｚ      隙間
【図１】
2019225083.tif 000003
【図２】
2019225083.tif 000004
【図３】
2019225083.tif 000005
【図４】
2019225083.tif 000006
【図５】
2019225083.tif 000007
【図６】
2019225083.tif 000008
【図７】
2019225083.tif 000009
【図８】
2019225083.tif 000010
【図９】
2019225083.tif 000011
【図１０】
2019225083.tif 000012
【図１１】
2019225083.tif 000013
【図１２】
2019225083.tif 000014
【図１３】
2019225083.tif 000015
【図１４】
2019225083.tif 000016
【図１５】
2019225083.tif 000017
【国際調査報告】
2019225083.tif 000018
2019225083.tif 000019
2019225083.tif 000020
2019225083.tif 000021